(57)【要約】【課題】交際中のカップルに対してお互いが唯一の存在である事を相互確認できるようにする。【解決手段】バイオメトリクス認証などの個人を特定できる個人識別情報入力装置が含まれ、該個人識別情報入力装置で入力された個人識別データを、カップル証明用データベースサーバに送信させるカップル証明装置又は端末装置と、個人識別データがデータベースに格納され、受信した個人識別データを該格納された個人識別データと照合して、一致有無の結果を該カップル証明装置に送信する該カップル証明用データベースサーバとを備え、登録を希望するカップルが、該カップル証明装置又は端末装置を用いておのおのの個人識別データを入力し、その時、どちらか一方でも他の交際相手と既に登録済みであった場合、該登録を希望するカップル双方が登録不可能になる。【特許請求の範囲】
【請求項１】
プロセッサと、
該プロセッサに結合された個人識別情報入力装置と、
該プロセッサに結合されたカップル又は仲間証明書出力装置と、
該プロセッサとインターネットとの間に結合された通信インタフェースと、
該プロセッサに結合され、プログラムが格納された記憶装置と
を有し、該プログラムは該プロセッサに対し、
複数人からなるカップル又は仲間の各々について、該個人識別情報入力装置から入力された個人識別情報を該記憶装置に一時記憶させ、該一時記憶された個人識別情又はその特徴量を含む個人識別データを、該通信インタフェースを介して、個人識別データがデータベースに格納され受信した個人識別データを該格納された個人識別データと照合して一致有無の結果を返すデータベースサーバーへ送信し、該カップル又は仲間の各々について該データベースサーバーからの結果が一致無しである場合には、該カップル又は仲間の各々が該データベースサーバーに登録されていないことを証明する証明書を作成して該カップル証明書出力装置から出力させる
ことを特徴とするカップル又は仲間証明装置。
【請求項２】
該個人識別情報入力装置は生体認証対象を入力するための装置であることを特徴とする請求項１記載のカップル又は仲間証明装置。
【請求項３】
該生体認証対象は指紋であることを特徴とする請求項２記載のカップル又は仲間証明装置。
【請求項４】
該個人識別情報入力装置は２つの指紋センサを含み、
該カップル又は仲間の各々が該２つの指紋センサのそれぞれに指を当ててお互いの指を確認できるように該２つの指紋センサが並置されていることを特徴とする請求項３記載のカップル又は仲間証明装置。
【請求項５】
該プロセッサに結合された電子撮像装置をさらに有し、
該プログラムは該プロセッサに対しさらに、
該カップル又は仲間の各々について該データベースサーバーからの結果が一致無しである場合には該電子撮像装置で撮像された画像を該証明書上に配置させる
ことを特徴とする請求項１乃至４のいずれか１つに記載のカップル又は仲間証明装置。
【請求項６】
該プログラムは該プロセッサに対しさらに、
該カップル又は仲間の各々について該データベースサーバーからの結果が一致無しである場合には、該画像を該カップル又は仲間の個人識別データと対応させて該データベースに登録させるために該画像を該データベースサーバーへ送信させる
ことを特徴とする請求項５に記載のカップル又は仲間証明装置。
【請求項７】
該プロセッサに結合された、少なくとも文字情報を入力するための入力装置をさらに有し、
該プログラムは該プロセッサに対しさらに、
該カップル又は仲間の各々について該データベースサーバーからの結果が一致無しである場合には、該入力装置を操作して入力された文字情報の一部又は全部を該証明書上に記入させる
ことを特徴とする請求項１乃至６のいずれか１つに記載のカップル又は仲間証明装置。
【請求項８】
該プログラムは該プロセッサに対しさらに、
該カップル又は仲間の各々について該データベースサーバーからの結果が一致無しである場合には、該入力装置を操作して入力された文字情報の一部又は全部を該カップル又は仲間の個人識別データと対応させて該データベースに登録させるために該文字情報の一部又は全部を該データベースサーバーへ送信させる
ことを特徴とする請求項７に記載のカップル又は仲間証明装置。
【請求項９】
プロセッサと、
該プロセッサとインターネットとの間に結合された通信インタフェースと、
該プロセッサに結合され、プログラムが格納され、複数人からなるカップル又は仲間の各々の個人識別データと該カップル又は仲間の各々に付与した同一のカップル又は仲間識別コードとを含むデータベースが格納された記憶装置と
を有し、該プログラムは該プロセッサに対し、
クライアントから受信した個人識別データを該データベース内の個人識別データと照合させて一致有無の結果を該クライアントに返させ、カップル又は仲間の各々について該結果が一致無しである場合には、該カップル又は仲間の各々の個人識別データとカップル又は仲間識別コードとを該データベースサーバーに登録させるとともに該カップル又は仲間識別コードを該クライアントに送信し、該カップルの一方のクライアントを介しカップル又は仲間識別コードとカップル又は仲間解消を示すデータとを受信した場合には該カップル又は仲間識別コードで識別されるカップル又は仲間に関し該データベースに登録されているデータを削除する
ことを特徴とするカップル又は仲間証明用データベースサーバー。
【請求項１０】
該個人識別データには電子メールアドレスが含まれ、
該プログラムは該プロセッサに対しさらに、
該カップル又は仲間の一方のクライアントを介しカップル又は仲間識別コードとカップル又は仲間解消を示すデータとを受信した場合には該カップル又は仲間の他方に対しカップル又は仲間解消を知らせる電子メールを送信する
ことを特徴とする請求項９記載のカップル又は仲間証明用データベースサーバー。
【請求項１１】
インターネットに結合された、請求項１乃至８のいずれか１つに記載のカップル又は仲間証明装置と、
該インターネットに結合された、請求項９又は１０のいずれか１つに記載のカップル証明用データベースサーバーと
を有することを特徴とするカップル又は仲間証明システム。
【請求項１２】
該個人識別データには指紋情報が含まれることを特徴とする請求項９又は１０記載のカップル又は仲間証明用データベースサーバー。
【請求項１３】
該個人識別データには、該カップル又は仲間が登録時に入力する文字情報が含まれることを特徴とする請求項９、請求項１０、又は請求項１２に記載のカップル又は仲間証明用データベースサーバー。
【請求項１４】
インターネットに結合された、請求項１乃至８のいずれか１つ又は請求項１５に記載のカップル又は仲間証明装置と、
該インターネットに結合された請求項９、請求項１０、請求項１２又は請求項１３に記載のカップル又は仲間証明用データベースサーバーと
を有することを特徴とするカップル又は仲間証明システム。
【請求項１５】
該個人識別データには、該カップル又は仲間が登録時に入力する文字情報が含まれることを特徴とする請求項１乃至８のいずれか１つに記載のカップル又は仲間証明装置。
【請求項１６】
プロセッサと、
該プロセッサに結合された個人識別情報入力装置と、
該プロセッサに結合されたカップル又は仲間証明書表示装置と、
該プロセッサとインターネットとの間に結合された通信インタフェースと、
該プロセッサに結合され、プログラムが格納された記憶装置と
を有し、該プログラムは該プロセッサに対し、
複数人からなるカップル又は仲間の各々について、該個人識別情報入力装置から入力された個人識別情報を該記憶装置に一時記憶させ、該一時記憶された個人識別情報又はその特徴量を含む個人識別データを、該通信インタフェースを介して、個人識別データがデータベースに格納され受信した個人識別データを該格納された個人識別データと照合して一致有無の結果を返すデータベースサーバーへ送信し、該カップル又は仲間の各々について該データベースサーバーからの結果が一致無しである場合には、該一致無しである事を、該表示装置に表示させる
ことを特徴とする端末装置。
【請求項１７】
該個人識別情報入力装置は生体認証対象を入力するための装置であることを特徴とする請求項１６記載の端末装置。
【請求項１８】
該生体認証対象は指紋であることを特徴とする請求項１７記載の端末装置。
【請求項１９】
該個人識別データには、該カップル又は仲間が登録時に入力する文字情報が含まれることを特徴とする請求項１６乃至１８のいずれか１つに記載の端末装置。
【請求項２０】
インターネットに結合された、請求項９、請求項１０、
請求項１２又は請求項１３に記載のカップル又は仲間証明用データベースサーバーと、
該インターネットに結合された、請求項１６乃至１９のいずれか１つに記載の端末装置と
を有することを特徴とするカップル又は仲間証明システム。
【請求項２１】
該カップル又は仲間証明用データベースサーバーは、該カップル又は仲間識別コードに基づいて、情報配信を行うことを特徴とする請求項１４又は請求項２０に記載のカップル又は仲間証明システム。
【発明の詳細な説明】
【技術分野】
【０００１】
本発明はバイオメトリクス認証装置などの個人を特定できる個人識別情報入力装置を用い、交際中の男女や同性愛者を含む男男、女女などのカップル（以下カップルと表記する）に対してお互いが唯一の交際相手であることを証明し又は仲間であることを証明する登録システム及び装置に関するものとする。
【背景技術】
【０００２】
婚姻制度は役所に備えつけてある戸籍簿を管理することにより重婚を禁止できるため、お互いが唯一の相手（夫婦）であることを証明することができる。
【発明の開示】
【発明が解決しようとする課題】
【０００３】
このシステムを使い、お互いが唯一の交際相手であること証明できるシステムを成立させるには、日本人全員の登録情報（戸籍簿）を把握しなければならない。
【０００４】
また、現在の日本の婚姻制度では同性愛者による婚姻が認められていないため同性愛者が第三者に対して婚姻の意思を証明する手段がないというのが現状である。
【０００５】
そこで本発明は、バイオメトリクス認証装置等の個人識別情報入力装置を用い、交際中のカップルに対してお互いが唯一の相手であることを証明できる装置及び登録システムを提供することを目的とする。
【０００６】
本発明の他の目的は、２人以上について特別の仲間であることを証明できる装置及び登録システムを提供することを目的とする。
【課題を解決するための手段】
【０００７】
上記条件を解決する為の装置及びシステムは、交際中のカップルが個人識別情報を入力するカップル証明装置とその入力された個人識別情報が登録済みでないか確認し、登録された個人識別情報を格納する証明用データベースサーバで構成されている。
【０００８】
上記カップル証明装置は、プロセッサと、該プロセッサに結合された個人識別情報入力装置と、該プロセッサに結合されたカップル証明書（カップル証明カード）出力装置と、該プロセッサとインターネットとの間に結合された通信インタフェースと、該プロセッサに結合され、プログラムが格納された記憶装置を有している。
【０００９】
該プログラムは該プロセッサに対し、以下4つを実行させる。1)交際中のカップルの各々について、該個人識別情報入力装置から入力された個人識別情報を該記憶装置に一時記憶させる。2)次に該一時記憶された個人識別情又はその特徴量を含む個人識別データを、該通信インタフェースを介して、データベースに格納させる。3)その受信した個人識別データを該格納された個人識別データと照合して一致有無の結果をデータベースサーバへ送信する。4)該カップルの各々について該データベースサーバーからの結果が一致無しである場合には、該カップルの各々が該データベースサーバーに登録されていないことを証明する証明書を作成して該カップル証明書出力装置から出力させる。
【００１０】
上記証明用データベースサーバは、プロセッサと、該プロセッサとインターネットとの間に結合された通信インタフェースと、該プロセッサに結合しており、プログラムが格納され、登録したカップルの各々の個人識別データと該カップルの各々に付与した同一のカップル識別コードとを含むデータベースが格納された記憶装置とを有している。
【００１１】
該プログラムは該プロセッサに対し、以下2つを実行させる。
【００１２】
1)クライアントから受信した個人識別データを該データベース内の個人識別データと照合させて一致有無の結果を該クライアントに返させ、カップルの各々について該結果が一致無しである場合には、該カップルの各々の個人識別データとカップル識別コードとを該データベースサーバーに登録させる。
【００１３】
2)該カップル識別コードを該クライアントに送信し、該カップルの一方のクライアントを介しカップル識別コードとカップル解消を示すデータとを受信した場合には該カップル識別コードで識別されるカップルに関し該データベースに登録されているデータを削除する。
本発明の他の態様では。以下のような処理を行う。
1)  本サービスを行う者が、どの指を登録するか指定しておく。
2)  登録時、カップル各々の指が指定された指以外で登録してないか確認できない為、カップルのどちらか一方の携帯端末機を使用し、双方の指紋情報を抽出する。（カップル双方が指定された指以外で、重複登録を行おうとしてないかをカップル双方がチェックできる）
3)  抽出された指紋情報をデータベースサーバに送信する。
【発明の効果】
【００１４】
本来、交際中のカップルというのはお互いにとって唯一の存在であることが望ましいが、通信技術の進歩、インターネットの普及などにより、人間関係の複雑化、多様化が進み、関係が希薄になり、健全な交際活動が困難になってきている。また、日本では同性愛者による婚姻が認められていないため、同性愛者が第三者に対して自らの関係を証明する手段がないというのが現状である。本発明はそのようなカップルに対してお互いが唯一の交際相手であることを証明することができる。
【００１５】
また、本発明が一般に認知され、普及すれば、カップル証明装置に登録しているカップルは、カップルがいるにもかかわらず、第三者との交際を開始するものに対して、二重登録の禁止をもってその不貞行為を禁止することが出来るため上記以外の未婚者、既婚者に関わらず、健全な交際活動を支援することができる。本発明の上記他の態様では、カップルのどちらか一つの端末装置を用いて、カップル各々の指紋を取得するので、お互いに、指定された指を登録しているか確認することができる。これにより確実に二重登録を防止することができる。
【００１６】
上記他の態様では、上記指紋抽出手順で指紋情報を個人識別情報として取り入れることにより、確実に二重登録を防止する事が可能となる。
【発明を実施するための最良の形態】
【００１７】
次に本発明の一実施形態を図面を用いて説明する。
【００１８】
カップル証明装置のシステムは図１のように、交際中のカップルが個人識別情報を入力するカップル証明装置とその入力された個人識別情報が登録済みでないか確認し、登録された個人識別情報を格納するデータベースサーバで構成されている。
【００１９】
前記カップル証明装置はプロセッサ１１にRAM、ROM、及びハードディスクが含まれた記憶装置１０と、入出力インタフェース９と、インターネットと結合している通信インタフェース１２が結合され、前記入出力インタフェース９に表示装置１と、指紋センサ２と、指紋センサ３と、電子カメラ４と、十字キー５と、決定ボタン６と、貨幣処理器７と、カード発行装置８を結合されている。
【００２０】
前記データベースサーバはプロセッサ１５にRAM、ROM及び、ハードディスク及び、データベース１７が含まれる記憶装置１６と、通信インタフェース１４と、が結合されている。
【００２１】
図２はこのカップル証明装置の外観斜視図である。
【００２２】
以下、本発明のシステムを図１〜図１０及び、図１２〜図１４に基づいて説明する。
イ    カップル登録は図２のような装置を店舗、アミューズメントパークまたは施設などに設置し行う。  
ロ    登録を希望するカップルはカップル証明装置設置場所に赴き料金投入口１８に所定の料金を入金する。
ハ    入金された料金は貨幣処理部２１から登録処理部２２に送られ、システム制御部２５がそれを確認すると登録開始の画面、図６の画面１に進む。
ニ    次にカップルは図６の画面１で「登録する」を選択すると、図６の画面２が表示さ    れ、図４の様に指紋センサ２・３に指を載置することで指紋情報を抽出させる。
ホ    （ニ）で読み取られた情報は特徴量抽出部２３でデータ変換され、システム制御部２５に送られる。
へ    システム制御部２５に送られた情報は、通信インタフェース１２からインターネットを介し、通信インタフェース１４に送られる。（図５の５Ａ）それを受けたプロセッサ１５が登録の可否（二重登録にならないか）をデータベース１７を基に決定する。このプロセッサ１５が決定した情報は、通信インタフェース１４からインターネットを介し、通信インタフェース１２を通過しシステム制御部２５に返信される。（図５の５Ｂ）この間、図６の画面３が表示される。
ト  （ヘ）で登録不可になった場合は、表示装置１に図８の画面５がカップルに対して表示される。また投入された料金は返金され、表示装置１は最初の画面に戻る。
【００２３】
この場合、既に登録しているカップルの一方、または両方が後述する解約手続きを完了しない限り図８の画面４には進めない。
チ  （ヘ）で登録可となったカップルに対しては、図８の画面４が表示され、電子カメラ４による写真撮影へと進む。
リ    写真撮影は撮り直しができるよう図８の画面６のような確認画面を設け、取り直したい場合は再び図８の画面４に戻り、カップル双方が納得できる静止画を作成できるようにする。
ヌ    図８の画面６で「ＯＫ」を選択すると、図９の画面７が表示され、カップルは画面の表示に従い十字キー５と決定ボタン６を操作し、氏名、交際開始日、コメント（よろしく〜、幸せになります！等）、暗証番号（カップル共通）、及び、生年月日を入力する。  
【００２４】
ヲ    （ヌ）の作業が終了すると、図９の画面８が表示され、（ヌ）で入力した内容確認とカップル双方の意思確認に間違いのないことを確認するボタンが表示される。
ワ      図９の画面８の記載内容に訂正がある場合、「いいえ」のボタンを選択することで
図９の画面７に戻ることが出来る。
レ      図９の画面８の記載内容に訂正がない場合、「はい、認めます」をカップル双方が      選択すると図１０の画面９が表示される。
ヨ      図１０の画面９はカップル証明カードのデザインを選択する画面になっており、    カップルは気に入ったカードのデザインを十字キー５と決定ボタン６を操作し選択することが出来る。
タ      （ヨ）のカードの選択が終了すると登録が完了し、記憶装置１０にカップルの情報が記憶される。
リ      登録が完了したカップルの情報は同時に通信インタフェース１２からインターネットを介しデータベースサーバに送られ、データベース１７に記憶される。これを受け、データベースサーバは登録データをカップル登録サービス専用ホームページに出力させる。（図５の５Ｃ）カップル登録サービス専用ホームページについては、後記にて説明する。
ソ      登録が完了すると、カード発行装置８がカップル双方に証明カード図１３又は図１４を作成する。１３Ａ及び１４Ａは電子カメラ４で撮影した画像である。１３Ｂ及び１４Ｂはカード発行番号である。
【００２５】
カップルはその出来上がったカードを受け取って登録手続き終了となる。
ツ      解約方法は図６の画面１で「解約する」を選択した場合この図７の画面１０が表示される。この画面が表示されると、解約を希望するカップルのどちらか一方指紋センサ２又は３に、登録したときの人差し指を挿入し、決定ボタン６を押す。
ネ      （ツ）で読み取られた情報は特徴量抽出部２３でデータ変換され、システム制御部２５に送られる。
ナ      システム制御部２５に送られた指紋情報は、通信インタフェース１２からインターネットを介し、通信インタフェース１４に送られる。それを受けたプロセッサ１５が（ツ）で読み取られた情報とデータベース１７に格納されている登録情報との一致の有無を確認する。この間に図７の画面１１が表示される。
ラ      データベース１７に一致する情報がなければ図７の画面１３が表示され料金が返金される。又一致する情報があれば図７の画面１２が表示され解除を希望する者は「解除します」を選択し決定ボタン６を押す。それを受けてデータベース１７から登録情報が消去される。なおこの図７の画面１２で「解除しません」を選択しても料金は返還されない。
以上イ〜ラの流れを図１２で記載している。
【００２６】
又、このカップル証明装置は指紋センサ２・３を用いる代わりに電子カメラ４で顔を撮影して個人を識別する装置、もしくは、他の個人識別装置を置き換える事により、他のバイオメトリクス認証、例えば、虹彩、網膜、声紋、人相又は、静脈などの対象とした個人識別センサを用いて登録する事もできる。
【００２７】
又、（ヌ）で行った文字入力作業を（ニ）〜（ヘ）で行う認証作業の前で行う事で、入力した文字情報の一部又は全部も個人識別情報として含む事もできる。
【００２８】
さらに、（ニ）の作業において（ニ）〜（ソ）の作業を以下の（ａ）〜（ｄ）の作業に置き換えることで複数人からなる仲間証明を発行することができる。
（ａ）図４１の様に、１番目の登録者が指紋４１Aの指紋挿入口から指紋を挿入し、指紋情報を抽出させる。
【００２９】
（ｂ）１番目の登録者は指を抜き、２番目の登録者が１番目と同様に指紋情報を抽出させ
る。登録する人数分  作業（ａ）〜（ｂ）を繰り返す。
【００３０】
（ｃ）指紋情報を入力した順に、氏名、ニックネーム、生年月日等、文字入力作業を行う。（ｄ）電子カメラ４により写真を撮影する。
（ｅ）仲間証明カード図４２が発行される。（ｄ）で撮影された画像が図４２の４２Ａである。
【００３１】
（ｆ）解約方法はカップル証明装置と同様である。
【００３２】
カップル登録専用ホームページは登録状況確認ページ、登録写真公開ページ、カップルプライベートページ、カップルプライベートページ新規登録、変更・解約ページ及び、携帯メールアドレス簡単登録ページからなり、カップル登録専用ホームページのトップページには、図３１のように、個別に入室するボタンが３０Ａ、３０Ｂ、３０Ｃ、３０Ｄ、３０Ｅ、及び３０Ｆが貼り付けてある。
【００３３】
図１５、図１６、及び図１７はこのホームページのフローチャートであり、次のステップ（２９）〜（５８）を有している。
（２９）登録状況確認ページは、カップル証明装置で登録した登録情報や解約になってないか等、登録状況が確認できるページである。まず、トップページに貼り付けてある登録状況確認ページへの入室ボタンをクリックするとステップ３０へ進む。
（３０）図１８に示す様なページが表示される。このページにカップル証明装置で発行されたカードに記載されているカード番号及びカップル証明装置で登録した暗証番号を入力する。次にこのページに貼り付けてある入力ボタンをクリックするとステップ３１へ進む。
（３１）ステップ３０で入力されたカード番号及び暗証番号は、データベース１７で記憶されている登録データと照会される。登録データが、一致ありだとステップ３２、一致なしだとステップ３３へ進む。
（３２）ステップ３０で入力されたカード番号に該当するカップルの図２４に示す様な登録状況画面が表示される。この登録状況画面にはトップページに戻る事ができるボタンが貼り付けてある。
（３３）ステップ３０で入力されたカード番号及び暗証番号の一致する登録データが無かった旨を知らせる図３０に示す様なエラー画面が表示される。このページにはトップページに戻る事ができるボタンが貼り付けてある。
（３４）図３１に示す様なトップページにある登録写真公開ページへの入室ボタンをクリックするとステップ３５に進む。
（３５）登録写真公開ページは、カップル証明装置で登録した他のカップルの写真及びコメントを閲覧できるページで、このページで表示されるデータは月日ごとに表示される。ステップ３４を行うと図１９に示す様な画面が表示され、見たい月日を入力し、このページに貼り付けてある検索ボタンをクリックするとステップ３６に進む。
（３６）ステップ３５で入力した月日にカップル証明装置で登録されたカップルの写真及びコメントが表示される。写真及びコメントは図２５のように表示され、トップページに戻る事ができるボタンが貼り付けてある。
（３７）トップページにあるカップルプライベートページ入室ボタンをクリックするとステップ３８に進む。
（３８）ステップ３０と同様に、図１８に示す様な画面が表示され、カード番号及び暗証番号を入力し、このページに貼り付けてある入力ボタンをクリックするとステップ３９に進む。
（３９）ステップ３８で入力されたカード番号及び暗証番号は、データベース１７で記憶されている登録データと照会される。登録データが一致ありで更にその一致したカップルがカップルプライベートページを登録している（登録方法はステップ４２〜４６で記載）場合ステップ４０に進む（図１６では「ＯＫ」へ進む）。登録データが一致なし又は一致ありだが一致したカップルがプライベートページに登録してない場合、ステップ４１に進む（図１６では「ＮＧ」へ進む）。
（４０）ステップ３８で入力されたカード番号の一致するカップルプライベートページが表示される。このカップルプライベートページとは登録したカップルにのみ、閲覧、写真の添付及び、コメント挿入ができるページである。これはデータベースにあるカップル双方の生年月日の情報から、今日の運勢としてホームページに反映される。さらに、二人だけの予定を入力することができるプライベートカレンダーを設置しており、使用例は旅行に行ったときの写真や旅行記を入力し、後にそれを閲覧して懐かしんだり、写真入交換日記等にも活用できる。このページは図１１の様に表示される。
（４１）ステップ３８で入力されたカード番号及び暗証番号の一致する登録データが無かった場合又は一致したがその一致したカップルがカップルプライベートページに登録されて無い場合はその旨を知らせる図３０に示す様なエラー画面が表示される。この図３０が表示されているページにはトップページに戻る事ができるボタンが貼り付けてある。
（４２）トップページにあるカップルプライベートページ新規登録ページへの入室ボタンをクリックするとステップ４３に進む。カップルプライベートページ新規登録ページはカップル証明装置で登録したカップルが登録することにより、上記カップルプライベートページを使用することが可能になる。
（４３）ステップ３０と同様に、図１８に示す様な画面が表示される。カード番号及び暗証番号を入力し、このページに貼り付けてある入力ボタンをクリックするとステップ４４に進む。
（４４）ステップ４３で入力されたカード番号及び暗証番号は、データベース１７で記憶されている登録データと照会される。登録データが一致ありだとステップ４５、一致なしだとステップ４６に進む。
（４５）図２３に示す様な、カップルプライベートページ新規登録画面が表示され、登録したカップル双方のカード番号と情報端末メールアドレスと再度暗証番号を入力する。次にこのページに貼り付けてある登録ボタンをクリックすることでデータベース１７に登録され、ステップ４７に進む。
（４６）ステップ４４で入力されたカード番号及び暗証番号の一致する登録データが無かった旨を知らせる図３０に示す様なエラー画面が表示される。この図３０が表示されているページにはトップページに戻る事ができるボタンが貼り付けてある。
（４７）ステップ４５で登録された情報画面が図２６の様に表示される。このページにはトップページに戻る事ができるボタンが貼り付けてある。
（４８）トップページにある変更・解約ページへの入室ボタンをクリックするとステップ４９に進む。
（４９） 図２０に示す様な画面が表示され、カード番号及び暗証番号又はＩＤ番号（携帯メールアドレス簡単登録ページで登録した場合発行される番号）と暗証番号を入力する。そして、このページに貼り付けてある入力ボタンをクリックするとステップ５０に進む。
（５０）ステップ４９で入力されたカード番号及び暗証番号又はＩＤ番号と暗証番号は、データベース１７で記憶されている登録データと照会される。登録データが一致ありだとステップ５１、一致なしだとステップ５２に進む。
（５１）図２１に示す様な変更・解約ページが表示され、メールアドレスを変更する場合は変更前のメールアドレス及び変更後のメールアドレスを入力し、このページに貼り付けてある変更ボタンをクリックする。解約する場合はこのページに貼り付けてある解約ボタンをクリックする。上記変更・解約ボタンをクリックするとステップ５３に進む。
（５２）ステップ５０で入力されたカード番号及び暗証番号又はＩＤ番号と暗証番号の一致する登録データが無かった旨を知らせる図３０に示す様なエラー画面図が表示される。この図３０が表示されているページにはトップページに戻る事ができるボタンが貼り付けてある。
（５３）ステップ５１で変更又は解約した図２７に示す様な確認画面が表示される。このページにはトップページに戻る事ができるボタンが貼り付けてある。
（５４）トップページにある携帯メールアドレス簡単登録ページへの入室ボタンをクリックするとステップ５５に進む。携帯メールアドレス簡単登録はカップル証明装置で登録してないカップルでも携帯情報端末メールアドレスを個人識別情報としてカップル登録できるサービスである。
（５５）図２２で示す様な携帯メールアドレス簡単登録ページが表示され、登録するカップルはカップル双方の氏名、携帯情報端末メールアドレス、交際開始日、生年月日及び、コメントを入力する。最後に申し込みしたカップルがお互いに相思相愛のカップルとして認める旨を確認する同意欄の同意するにチェックをし、このページに貼り付けてある入力ボタンをクリックすることでステップ５６に進む。（５６）カップル双方の入力した携帯情報端末メールアドレスをデータベース１７にある登録済み携帯情報端末メールアドレスと照会する。登録データが一致なしの場合ステップ５７へ、一致ありの場合ステップ５８へ進む。
（５７）ステップ５５で記入した情報と申し込み番号が表示された図２８で示す様な入力情報確認ページが表示される。このページにはトップページに戻る事ができるボタンが貼り付けてある。
（５８）ステップ５５で入力した携帯情報端末メールアドレスと一致する登録データがあった場合、図２９で示す様な登録を拒否する画面、が表示される。
ステップ５７の後、データベースサーバが、申し込みしたカップル双方の携帯情報端末メールアドレスに、登録する旨の確認事項の確認メール図３２を送信する。図３２の確認メールは３２Ａに登録したカップルの相手側の名前又はメールアドレスが記述されている。申し込みしたカップル双方が、確認事項を了承した場合、申し込み完了時に発行した申し込み番号を記入し、返信する。この返信メールを確認すれば登録完了となる。又、ショートメールで確認メールを送信することで、個人識別情報を携帯情報端末メールアドレスから携帯電話番号に置き換えることが出来る。
【００３４】
しかし、（５４）〜（５８）の方法では、携帯情報端末メールアドレスを  ２つ以上所持する者が、登録した携帯端末メールアドレス以外の携帯情報端末メールアドレスを使用した場合、登録した交際相手以外にも証明書を発行することを妨げられない。
そこで、指紋情報を個人識別情報として二重登録を回避する。
指紋抽出手順は以下の通りである。
1)  本サービスを行う者が、どの指を登録するか指定しておく。
2)  登録時、カップルおのおのの指が指定された指以外で登録してないか確認できない為、カップルのどちらか一方の携帯端末機を使用し、双方の指紋情報を抽出する。（カップル双方が指定された指以外で、重複登録を行おうとしてないかをカップル双方がチェックできる）
3)  抽出された指紋情報をデータベースサーバに送信する。
上記指紋抽出手順により  個人識別情報として指紋情報を取り入れることで、二重登録を防止できる。
さらにステップ５５で入力した携帯情報端末メールアドレス、携帯電話番号、文字情報の一部又は全部を個人識別情報として含む事で、より厳重に二重登録を回避することができる。
【００３５】
携帯端末装置を用いた  指紋情報によるカップル登録方法をより詳細に説明する。
携帯端末装置を用いた指紋情報によるカップル登録システムは、図３３の様に  交際中のカップル又は仲間が個人識別情報を入力する携帯端末装置と、その入力された個人識別情報が登録済みでないかを確認し、さらに登録された個人識別情報を格納するデータベースサーバで構成される。
【００３６】
前記端末装置はプロセッサ１１１にRAM、ROM、及びハードディスクが含まれた記憶装置１１０と、入出力インタフェース１０９と、インターネットと結合している通信インタフェース１１２が結合され、前記入出力インタフェース１０９に表示装置１０１と、指紋センサ１０２と、操作入力部１０５が結合されている。
前記データベースサーバはプロセッサ１１５にＲＡＭ、ＲＯＭ及び、ハードディスク及び、
データベース１１７が含まれる記憶装置１１６と、通信インタフェース１１４が結合されている。
【００３７】
前記登録方法は次の（５９）〜（６７）のステップを有する。
図３４は携帯端末装置のソフトウェア構成を示す機能ブロック図である。
図３５は（５９）〜（６７）のフローチャート図である。
（５９）登録を希望するカップルは、前記カップル専用ホームページから、指紋によるカップル登録ページを表示させる。
（６０）表示装置１０１に、図３６に示す様な指紋によるカップル登録ページ登録画面が表示され、スクロールすることで、他の部分も表示される（但し、通信上部に表示されている部分３６Ａは固定され変化しない。登録画面を示す図３８〜４０も同様である）。図３７の様に、登録を希望するカップルの一方（１番目の登録者）が、表示で指定されている右手人差し指を指紋センサ１０２上に載置することで、指紋情報が抽出される。
（６１）ステップ６０で指紋情報が抽出された後、その指紋情報入力者が氏名、生年月日、電子メールアドレス等、文字情報を操作入力部１０６で入力する。
（６２）入力後、図３７に示すような確認画面が表示される。この画面には、ステップ６０に戻ってさらにもう一人登録させるボタン３７Ａと入力完了ボタン３７Ｂとが配置されている。登録を希望するカップルの他方（２番目の登録者）は、ボタン３７Ａをクリックし、指紋情報及び文字情報を入力する。
（６３）ステップ６２でカップル双方が登録した後、図３８に示す様な確認画面が表示される。確認画面図３８の入力完了ボタン３７Ｂをクリックする。（２人以上複数人の仲間登録の場合、２人以降  各人についてステップ６０に戻り登録を行う。）
（６４）指紋センサ１０２で読み取られた情報は特徴量抽出部１２３でデータ変換され、ステップ６０で入力した文字情報と共にシステム制御部１２５に送られる。
（６５）システム制御部１２５に送られた情報は、通信インタフェース１１２からインターネットを介し、通信インタフェース１１４に送られる。それを受けたプロセッサ１１５がデータベース１１７に記憶されている指紋情報を基に一致なし又は、一致ありかを照合する。その照合結果は、通信インタフェース１１４からインターネットを介し、通信インタフェース１１２を通過しシステム制御部１２５に返信される。該照合結果が、一致ありの場合はステップ６６へ進み、一致なしの場合はステップ６７に進む。
（６６）システム制御部１２５は、図３９を示す様な登録画面を表示装置１０１に表示させる。
（６７）システム制御部１２５は、図４０を示す様な登録画面を表示装置１０１に表示させる。
【００３８】
上記登録方法の特徴は、カップルのどちらか一つの携帯端末装置を用いて、カップル各々の指紋を取得することである。これにより、お互いに、指定された指を登録しているか確認することができる。
【００３９】
従来、情報配信サービス業者は、一般のサイトにおいて、登録した本人のデータを元にしか情報を配信する事が出来なかった。
しかし、本サービスを提供する者は、カップル又は仲間である登録者の本人のデータだけでなく  その登録者の交際関係（恋人同士である等）を把握する事ができ、より登録者のニーズに答えた情報配信サービスが可能になる。
【００４０】
例えば、登録者の誕生日近くになると、その登録者の交際相手、つまりプレゼントを渡す側に、アクセサリー等の広告メールを配信する事ができる。
さらにカップル交際記念日（レストラン等予約すべき日）近くになるとレストランやアミューズメント情報等を配信する事が出来る。
これにより、登録者には「交際相手の誕生日や交際記念日を忘れてしまったら・・・」、という不安を解消させることができる。
又、広告主に対しては、タイムリーで確実性のある広告戦略を提供する事ができる。
【００４１】
なお、本発明の端末装置は、携帯電話機に限定されず、有線又は無線でインターネットに接続されたコンピューター又はＰＤＡ等であっても良い。
【００４２】
また、本発明の仲間照明装置は、携帯電話機に組み込まれた物に限定されず、有線又は無線でインターネットに接続されたコンピューター又はＰＤＡ等に組み込まれた物であっても良い。
【図面の簡単な説明】
【００４３】
【図１】本発明の概略ハードウェア構成図である。
【図２】本発明に係わるカップル証明装置の外観斜視図である。
【図３】図２のカップル証明装置のソフトウェア構成を示す機能ブロック図である。
【図４】図２のカップル証明装置の指紋登録方法図である。
【図５】図２のカップル証明装置で入力した情報が本発明に係わるカップル専門ホームページに出力されるまでの図である。
【図６】図２のカップル証明装置の操作画面での登録方法説明図である。
【図７】図２のカップル証明装置の操作画面での登録方法説明図である。
【図８】図２のカップル証明装置の操作画面での登録方法説明図である。
【図９】図２のカップル証明装置の操作画面での登録方法説明図である。
【図１０】図２のカップル証明装置の操作画面での登録方法説明図である。
【図１１】発明を実施する為の最良の形態に係るプライベートページの画面説明図である。
【図１２】カップル証明カード発行までのフローチャートである。
【図１３】発明を実施する為の最良の形態に係るカップル証明カードの記載例示す図である。
【図１４】カップル証明カードの記載例示す図である。
【図１５】カップル登録サービス専用ホームページの閲覧に対応する処理を示す概略フローチャートである。
【図１６】カップル登録サービス専用ホームページの閲覧に対応する処理を示す概略フローチャートである。
【図１７】カップル登録サービス専用ホームページの閲覧に対応する処理を示す概略フローチャートである。
【図１８】図１５のカード番号及び暗証番号入力画面説明図である。
【図１９】図１５の見たい登録写真の月日を入力する画面説明図である。
【図２０】図１７のカード番号及び暗証番号又はＩＤ番号と暗証番号入力画面説明図である。
【図２１】図１７の４３変更又は解約入力画面説明図である。
【図２２】図１７の４５携帯メールアドレスで簡単登録カップル情報入力ページ画面説明図である。
【図２３】図１６のカップルプライベートページ新規登録画面説明図である。
【図２４】図１５の登録状況確認ページ画面説明図である。
【図２５】図１５の入力した月日の登録一覧ページ画面説明図である。
【図２６】図１６のカップルプライベートページ新規登録確認画面説明図である。
【図２７】図１７の変更又は解約確認画面説明図である。
【図２８】図１７の携帯メールアドレスで簡単登録の入力確認画面説明図である。
【図２９】図１７の携帯メールアドレスで簡単登録の登録拒否の画面説明図である。
【図３０】図１５〜図１７においての所定の番号入力時、データベース１７と照会し一致なしと出た場合のエラー画面説明図である。
【図３１】カップル登録サービス専用ホームページのトップページ画面図説明図である。
【図３２】携帯メールアドレスで簡単登録する際の、登録したカップルへ送信する確認メール画面説明図である。
【図３３】本発明の携帯端末装置による指紋情報でカップル又は仲間登録システムの概略ハードウェア構成図である。
【図３４】図３３の携帯端末装置のソフトウェア構成を示す機能ブロック図である。
【図３５】本発明の携帯端末装置による指紋情報でカップル又は仲間登録システムの概略フローチャートである。
【図３６】指紋によるカップル登録ページ登録画面説明図である。
【図３７】指紋によるカップル登録方法図である。
【図３８】指紋によるカップル登録ページ入力確認画面説明図である。
【図３９】指紋によるカップル登録ページ登録拒否画面説明図である。
【図４０】指紋によるカップル登録ページ登録完了画面説明図である。
【図４１】カップル証明装置の仲間証明時の指紋登録方法説明図である。
【図４２】仲間証明カードの記載例を示す図である。
【図１】
2006134289.tif 000002
【図２】
2006134289.tif 000003
【図３】
2006134289.tif 000004
【図４】
2006134289.tif 000005
【図５】
2006134289.tif 000006
【図６】
2006134289.tif 000007
【図７】
2006134289.tif 000008
【図８】
2006134289.tif 000009
【図９】
2006134289.tif 000010
【図１０】
2006134289.tif 000011
【図１１】
2006134289.tif 000012
【図１２】
2006134289.tif 000013
【図１３】
2006134289.tif 000014
【図１４】
2006134289.tif 000015
【図１５】
2006134289.tif 000016
【図１６】
2006134289.tif 000017
【図１７】
2006134289.tif 000018
【図１８】
2006134289.tif 000019
【図１９】
2006134289.tif 000020
【図２０】
2006134289.tif 000021
【図２１】
2006134289.tif 000022
【図２２】
2006134289.tif 000023
【図２３】
2006134289.tif 000024
【図２４】
2006134289.tif 000025
【図２５】
2006134289.tif 000026
【図２６】
2006134289.tif 000027
【図２７】
2006134289.tif 000028
【図２８】
2006134289.tif 000029
【図２９】
2006134289.tif 000030
【図３０】
2006134289.tif 000031
【図３１】
2006134289.tif 000032
【図３２】
2006134289.tif 000033
【図３３】
2006134289.tif 000034
【図３４】
2006134289.tif 000035
【図３５】
2006134289.tif 000036
【図３６】
2006134289.tif 000037
【図３７】
2006134289.tif 000038
【図３８】
2006134289.tif 000039
【図３９】
2006134289.tif 000040
【図４０】
2006134289.tif 000041
【図４１】
2006134289.tif 000042
【図４２】
2006134289.tif 000043